(57)【要約】【課題】本発明は、用紙整合性を向上させるとともに、用紙がレジストローラへ当接した時の用紙の整列を容易にすること、さらには、紙粉除去効率を向上することを課題とする。【解決手段】本発明は、用紙を搬送するタイミングローラと、該タイミングローラに対向して回転するタイミングプレッシャローラと、搬送された用紙を整合し転写部へ送り出すレジストローラと、該レジストローラに対向して回転するレジストプレッシャローラと、該レジストプレッシャローラに当接して紙紛を除去する紙紛除去機構とを備えた用紙整合装置において、前記紙紛除去機構を前記レジストプレッシャローラに押圧力をもって当接したことを特徴とする。さらに、前記タイミングプレッシャローラを前記レジストローラのニップ長よりも短くするとともに、前記レジストローラに接する外周面をクラウン状に形成することを特徴とする。【選択図】図１
2004256291.tif 000002
【特許請求の範囲】
【請求項１】
用紙を搬送するタイミングローラと、該タイミングローラに対向して回転するタイミングプレッシャローラと、搬送された用紙を整合し転写部へ送り出すレジストローラと、該レジストローラに対向して回転するレジストプレッシャローラと、該レジストプレッシャローラに当接して紙紛を除去する紙紛除去機構とを備えた用紙整合装置において、前記紙紛除去機構を前記レジストプレッシャローラに押圧力をもって当接したことを特徴とする用紙整合装置。
【請求項２】
前記タイミングプレッシャローラを前記レジストローラのニップ長よりも短くするとともに、前記レジストローラに接する外周面をクラウン状に形成したことを特徴とした請求項１に記載の用紙整合装置。
【発明の詳細な説明】
【０００１】
【発明の属する技術分野】
本発明は電子写真印刷装置の用紙整合装置に関するものである。
【０００２】
【従来の技術】
一般的な電子写真式印刷装置は、均一に帯電された感光体上に静電潜像を形成し、現像装置によりトナーを現像することにより静電潜像を顕像化する。感光体上のトナー像は転写装置により用紙上に転写され、定着装置により加熱加圧されることにより用紙に定着される。上記プロセスを繰り返し、連続的に印刷を行う。
上記の過程において、給紙装置と転写装置をつなぐ搬送径路上において、スキューした用紙を整列し、かつ感光ドラム上の像と用紙への書き出し位置を合わせるために、用紙はレジスト装置と呼ばれる用紙整合装置を通過する。
【０００３】
図１〜図３により、従来の用紙整合装置を説明する。
【０００４】
図１は従来の用紙整合装置の一例を示す断面図、図２は同レジストローラ部の構成図、図３はタイミングローラ部の構成図を示す。レジスト装置では、レジストローラ１で一旦用紙６の搬送を止め、レジストローラ１とスプリング７で押圧されたレジストプレッシャローラ４とのニップ部で用紙６の先端を位置決めする。さらに、タイミングローラ３は用紙６を余分に送りこむことで、用紙６にバッファと呼ばれるたるみを形成させる。このたるみを利用し、用紙６をレジストローラ１のニップ部へと当接させることでスキューした用紙６の整列を行う。そして、ドラム上の像の先端にタイミングを合わせて、再び用紙を転写装置へと送り出す。このプロセスを毎シート行い次々に印刷が行われる。
【０００５】
なお、２は紙粉除去機構、２ａは紙粉溜め、２ｂはマイラ、５はタイミングプレッシャローラである。
【０００６】
【発明が解決しようとする課題】
上記した従来技術においては、レジストプレッシャローラ４の両端で押圧するスプリング７がアンバランスの場合や、レジストプレッシャローラ４にたわみが発生した場合、レジストローラ１で形成するニップ形状が不均一となる。ニップ部が不均一になると、用紙６を整列しても用紙先端が水平に整列しないため、印刷位置にズレが生じる問題がある。
【０００７】
レジストローラ１で整列された用紙は、レジストローラ１のグリップ力のみに従い用紙の後端まで搬送されるが、タイミングローラでのグリップ力が大きい場合、タイミングローラ３のグリップ力に従い搬送されるため、整列した用紙６が徐々に元のスキュー状態に戻され、問題となる。
【０００８】
さらに、レジストローラ１には紙紛除去機構２が設けられる場合が多い。通常、マイラ２ｂやブラシ等の除去部材が設けられ、レジストプレッシャローラ４の表面に接する位置に固定される。しかし、この場合、除去部材の取付け部には位置精度が要求され、精度が悪ければ除去不良となる。また、取付け位置を調整項目とすれば単価の上昇を伴うことになる。
【０００９】
本発明は、用紙整合性を向上させるとともに、用紙がレジストローラへ当接した時の用紙の整列を容易にすることを目的とする。
【００１０】
また本発明は、紙粉除去効率を向上することを目的とする。
【００１１】
【課題を解決するための手段】
上記の目的は、用紙を搬送するタイミングローラと、該タイミングローラに対向して回転するタイミングプレッシャローラと、搬送された用紙を整合し転写部へ送り出すレジストローラと、該レジストローラに対向して回転するレジストプレッシャローラと、該レジストプレッシャローラに当接して紙紛を除去する紙紛除去機構とを備えた用紙整合装置において、前記紙紛除去機構を前記レジストプレッシャローラに押圧力をもって当接することによって達成される。
【００１２】
また、上記の目的は、前記タイミングプレッシャローラを前記レジストローラのニップ長よりも短くするとともに、前記レジストローラに接する外周面をクラウン状に形成するこしによって達成される。
【００１３】
【発明の実施の形態】
以下本発明を、図４〜図６に示す一実施例によって説明する。
【００１４】
図４は本発明の一実施例を示す用紙整合装置の断面図、図５は本発明の一実施例を示すレジストローラ部の構成図、図６は本発明の一実施例を示すタイミングローラ部の構成図である。用紙整合装置は、用紙６を搬送するタイミングローラ３と、タイミングローラ３に対向して回転するタイミングプレッシャローラ５１と、タイミングプレッシャローラ５１に押圧するスプリング７と、搬送された用紙６を整合し転写部へと送り出すレジストローラ１と、レジストローラ１に対向して回転するレジストプレッシャローラ４と、レジストプレッシャローラ４に当接するブラシ２３と、表面にブラシ２３を持ち上下方向にのみスライドするブラシガイド２４と、ブラシガイド２４をレジストプレッシャローラ４に押圧するバネ２５と、ブラシガイド２４を保持するブラシホルダ２６とで構成している。
【００１５】
ブラシガイド２４はブラシ２３を介して常に一定の力でレジストプレッシャローラ４を押圧しており、ニップ全体に均一に荷重をかける。これによりレジストローラ１とのニップ形状が一定の幅で均一に形成され、用紙６の整合性が向上する。本実施例では、ブラシ２３、ブラシガイド２４、バネ２５、ブラシホルダ２６は紙粉除去機構２１を構成する。
【００１６】
図５、６に示すように、タイミングプレッシャローラ５１の軸長はレジストローラ１のニップ長よりも短く構成し、且つ外周面をクラウン状としている。これにより、用紙６の自由度が増し、用紙６を整列した際にタイミングプレッシャローラ５１の中央を中心に回転することが可能となり、整合性が向上する。
【００１７】
さらに、紙紛除去用のブラシ２３に圧力がかけられることで、部品の精度や調整を必要とせずに紙紛除去性能の向上が可能となる。
【００１８】
【発明の効果】
本発明によれば、レジストローラのニップ形状を一定幅で均一化し、用紙整合性を向上することが出来るとともに、用紙がレジストローラへ当接した時の用紙の整列を容易にすることが出来、かつ、紙粉除去効率を向上することが出来る。
【図面の簡単な説明】
【図１】従来の用紙整合装置の一例を示す断面図。
【図２】従来のレジストローラ部の一例を示す構成図。
【図３】従来のタイミングローラ部の一例を示す構成図。
【図４】本発明にかかる用紙整合装置の一実施例を示す断面図。
【図５】本発明の一実施例におけるレジストローラ部の構成図。
【図６】本発明の一実施例におけるタイミングローラ部の構成図。
【符号の説明】
１  …レジストローラ
３  …タイミングローラ
４  …レジストプレッシャローラ
６  …用紙
７  …スプリング
２１…紙紛除去機構
２２…紙紛溜め
２３…ブラシ
２４…ブラシガイド
２６…ブラシホルダ
２５…バネ
５１…タイミングプレッシャローラ
【図１】
2004256291.tif 000003
【図２】
2004256291.tif 000004
【図３】
2004256291.tif 000005
【図４】
2004256291.tif 000006
【図５】
2004256291.tif 000007
【図６】
2004256291.tif 000008